(57)【要約】【課題】  測定血圧に関する条件と関連付けされて記憶した血圧データを、所定の条件毎に読出して表示する。【解決手段】  電子血圧計１は、圧力センサ１２が検出するカフ２１内の検出圧力に基づ算出部２８は血圧を算出する。データ格納部３０は、当該血圧データと、血圧に関する条件を示す条件データとを関連付けてメモリ１２に格納する。操作部４０は、複数種類の条件のそれぞれを指定するために操作される。操作部４０が操作されたとき、読出表示部２５は、当該操作により指定された条件に関連付けされた血圧データを、メモリ１２から読出して表示部４に表示する。【選択図】        図１
2007044437.tif 000002
【特許請求の範囲】
【請求項１】
血圧測定部位に装着するカフと、前記カフに加える圧力を調整する加圧・減圧手段と、前記加圧・減圧手段により調整される前記カフ内の圧力を検出する圧力検出手段と、前記圧力検出手段による検出圧力に基づき血圧を算出する血圧算出手段とを有する血圧測定手段と、
メモリと、
表示部と、
前記血圧算出手段により算出された血圧のデータと、当該血圧データに関する条件を示す条件データとを関連付けて前記メモリに格納する格納手段と、
複数種類の前記条件のそれぞれを指定するために操作される操作部と、
前記操作部が操作されたとき、当該操作により指定された前記条件を示す前記条件データに関連付けされた前記血圧データを、前記メモリから読出して前記表示部に表示する読出表示手段と、を備える、電子血圧計。
【請求項２】
前記条件は、前記血圧測定手段による血圧測定時の条件を示す、請求項１に記載の電子血圧計。
【請求項３】
時間を計時する計時部をさらに備えて、
前記条件は、前記計時部により計時された前記血圧測定の時を指す、請求項１に記載の電子血圧計。
【請求項４】
前記格納手段は、
前記血圧測定手段による血圧測定時に前記血圧算出手段により算出された血圧のデータに、当該血圧測定時に前記操作部を操作して指定された前記条件を示す前記条件データを関連付けて前記メモリに格納する、請求項１に記載の電子血圧計。
【請求項５】
前記操作部の操作により前記条件の指定がされて、
前記操作部の操作により前記血圧データの前記メモリからの読出しが指示される、請求項１に記載の電子血圧計。
【請求項６】
前記格納手段は、前記血圧測定手段による血圧測定時に、前記血圧算出手段により算出された血圧のデータに、さらに、測定時間を示す時間データを関連付けて前記メモリに格納し、
前記読出表示手段は、前記メモリから、前記指定された条件を示す前記条件データに対応の前記血圧データを、関連付けされた前記時間データに基づき時系列に読出して前記表示部に表示する、請求項１に記載の電子血圧計。
【請求項７】
前記メモリには、前記複数種類の条件のそれぞれ毎に記憶領域が設けられて、
前記格納手段は、前記血圧測定手段による血圧測定時に、前記血圧算出手段により算出された前記血圧データを、前記指定された条件に該当の前記記憶領域に格納する、請求項４に記載の電子血圧計。
【請求項８】
前記読出表示手段は、
前記メモリから読出された前記血圧データと基準の血圧データとを比較して、比較結果を報知する比較報知部を有する、請求項１に記載の電子血圧計。
【請求項９】
前記複数種類の条件には、起床後の測定と就寝前の測定が含まれる、請求項１に記載の電子血圧計。
【請求項１０】
前記複数種類の条件には、飲食前の測定と飲食後の測定が含まれる、請求項１に記載の電子血圧計。
【請求項１１】
前記複数種類の条件には、運動前の測定と運動後の測定が含まれる、請求項１に記載の電子血圧計。
【請求項１２】
前記複数種類の条件には、投薬前の測定と投薬後の測定が含まれる、請求項１に記載の電子血圧計。
【請求項１３】
前記複数種類の条件には、朝の測定と夜の測定が含まれる、請求項１に記載の電子血圧計。
【請求項１４】
前記血圧算出手段は、前記メモリに格納された前記血圧データの週単位の平均データおよび/または月単位の平均データを算出する平均算出手段を有し、
前記複数種類の条件には、前記週単位の平均測定および/または前記月単位の平均測定が含まれる、請求項１に記載の電子血圧計。
【請求項１５】
血圧測定に伴い算出された血圧のデータと、当該血圧データに関する条件を示す条件データとを関連付けて予め準備されたメモリに格納する格納手段と、
複数種類の前記条件のそれぞれを指定するために操作される操作部と、
前記操作部が操作されたとき、当該操作により指定された前記条件を示す前記条件データに関連付けされた前記血圧データを前記メモリから読出して、予め準備された表示部に表示する読出表示手段と、を備える、データ処理装置。
【請求項１６】
血圧測定に伴い算出された血圧のデータと、当該血圧データに関する条件を示す条件データとが関連付けて格納されたメモリと、
複数種類の前記条件のそれぞれを指定するために操作される操作部と、
前記操作部が操作されたとき、当該操作により指定された前記条件を示す前記条件データに関連付けされた前記血圧データを前記メモリから読出して、予め準備された表示部に表示する読出表示手段と、を備える、データ処理装置。
【請求項１７】
前記メモリは着脱自在であることを特徴とする、請求項１６に記載のデータ処理装置。
【請求項１８】
前記データ処理装置にはさらに通信部を備えて、
前記通信部により通信路を介して受信した前記血圧のデータと前記条件データとを関連付けて前記メモリに格納することを特徴とする、請求項１６に記載のデータ処理装置。
【発明の詳細な説明】
【技術分野】
【０００１】
この発明は電子血圧計およびデータ処理装置に関し、特に、血圧測定結果をメモリに記憶し、記憶した内容の表示機能を有する電子血圧計およびデータ処理装置に関する。
【背景技術】
【０００２】
近年、高血圧を要因とする生活習慣病を考慮した健康管理の指標として血圧値が用いられることから、その血圧測定結果をいかに管理するかが重要となってくる。血圧は生活環境やストレスによって容易に変動する。よって測定された血圧値を測定時間とともに時系列に管理するという、トレンドの管理が有用であり、トレンドの管理を可能とするような血圧計測が行なわれている。
【０００３】
たとえば、特許文献１には、押しボタン制御回路の記憶内容ボタンを設け、記憶内容ボタンを用いて被測定者の以前の数回の測定データを呼出して表示することができるデジタル自動記憶型血圧計が示される。
【０００４】
また、特許文献２の装置は、血圧値、識別データ、測定日時を識別しておき、同一識別データの付与された血圧値のみ選択表示し、また、測定状況に応じたトレンドグラフを表示可能である。
【特許文献１】登録実用新案第３０２０４９７号公報
【特許文献２】特許第３０３３８４９号公報
【発明の開示】
【発明が解決しようとする課題】
【０００５】
特許文献１の血圧計では、容量の大きいメモリを備え、大量の測定データを記憶できるにも関わらず、記憶呼び出しボタンの操作を繰り返すごとに、記憶されている測定値を記憶した時系列に沿って呼び出すだけで、特定の記憶データのトレンドが確認し難い。例えば、近年早朝高血圧等が注目をあびている中、朝の血圧だけ、もしくは夜の血圧だけを確認する機能が求められるが、その要求には応えることができない。
【０００６】
特許文献２では、条件設定のキーと記憶した血圧データ読出しキーとが別個に設けられているので、直感的に操作が理解し難くユーザビリティに優れない。
【０００７】
それゆえにこの発明の目的は、測定した血圧に関する条件と関連付けされて記憶した血圧データを、所定の条件毎に読出して表示する操作性に優れた電子血圧計とデータ処理装置を提供することである。
【課題を解決するための手段】
【０００８】
この発明のある局面に従う電子血圧計は、血圧測定部位に装着する腕帯と、腕帯に加える圧力を調整する加圧・減圧手段と、加圧・減圧手段により調整される前記腕帯内の圧力を検出する圧力検出手段と、前記圧力検出手段による検出圧力に基づき血圧を算出する血圧算出手段とを有する血圧測定手段と、メモリと、表示部と、血圧算出手段により算出された血圧のデータと、当該血圧データに関する条件を示す条件データとを関連付けてメモリに格納する格納手段と、複数種類の前記条件のそれぞれを指定するために操作される操作部と、操作部が操作されたとき、当該操作により指定された条件を示す条件データに関連付けされた血圧データを、メモリから読出して表示部に表示する読出表示手段と、を備える。
【０００９】
したがって、操作部を操作することで、条件指定の操作と読出表示指示の操作を個別にしなくとも、表示部に表示すべき血圧データに関連付けされた条件の指定と、当該条件に合致する血圧データのメモリからの読出し表示の指示とを行なうことができる。
【００１０】
また、被測定者は、読出し表示したい条件の血圧データのメモリからの読出し・表示の操作を直感的におこなうことができる。
【００１１】
また、操作部は読出し・表示を指示するスイッチを複数種類の条件毎に有する。このことのより、各種の条件のスイッチを操作するだけで条件設定を行なうことなくその条件を満たした血圧データのみメモリから読出して表示することができる。
【００１２】
好ましくは、条件は、前記血圧測定手段による血圧測定時の条件を示す。
好ましくは、電子血圧計は時間を計時する計時部をさらに備えて、条件は、計時部により計時された血圧測定の時を指す。
【００１３】
好ましくは、格納手段は、血圧測定手段による血圧測定時に血圧算出手段により算出された血圧のデータに、当該血圧測定時に操作部を操作して指定された条件を示す条件データを関連付けてメモリに格納する。
【００１４】
したがって、測定により得られた血圧データに関連付けされるべき条件と、メモリから読出し表示するべき血圧データに関連付けされた条件との両方の指定に、操作部を兼用することができる。
【００１５】
好ましくは、操作部の操作により条件の指定がされて、操作部の操作により前記血圧データのメモリからの読出しが指示される。
【００１６】
したがって、メモリからの血圧データの読出しの指示と、条件の指定とに操作部を兼用できる。
【００１７】
好ましくは、格納手段は、血圧測定手段による血圧測定時に、血圧算出手段により算出された血圧のデータに、さらに、測定時間を示す時間データを関連付けて前記メモリに格納し、読出表示手段は、メモリから、指定された条件を示す条件データに対応の血圧データを、関連付けされた時間データに基づき時系列に読出して表示部に表示する。
【００１８】
したがって、指定された条件に関連付けされた血圧データは、その測定時間に従い時系列に表示されるから、被測定者は、血圧データの時系列変化を示すトレンドを確認できる。
【００１９】
好ましくは、メモリには、複数種類の条件のそれぞれ毎に記憶領域が設けられて、格納手段は、血圧測定手段による血圧測定時に、血圧算出手段により算出された血圧データを、指定された条件に該当の記憶領域に格納する。
【００２０】
したがって、血圧データは指定された条件に該当の記憶領域に格納されることにより、指定された条件が関連付けされる。血圧データ読出し時には、指定された条件の記憶領域のみから血圧データの読出しを行なえばよくなり、メモリ全体を範囲として読出す場合に比較して、高速な読出しが可能となる。
【００２１】
好ましくは、読出表示部は、メモリから読出された血圧データと基準の血圧データとを比較して、比較結果を報知する比較報知部を有する。
【００２２】
好ましくは、複数種類の条件には、起床後の測定と就寝前の測定が含まれて、または、飲食前の測定と飲食後の測定が含まれて、または、運動前の測定と運動後の測定が含まれて、または投薬前と投薬後の測定が含まれて、または朝の測定と夜の測定が含まれる。したがって、血圧変動が顕著となる生活習慣に注目した血圧データの格納・読出し表示が可能となる。
【００２３】
好ましくは、電子血圧計は、メモリに格納された血圧データの週単位の平均データおよび/または月単位の平均データを算出する平均算出手段をさらに備え、複数種類の条件には、週単位の平均測定および/または月単位の平均測定が含まれる。
【００２４】
したがって、週単位の血圧データ平均と月単位の血圧データ平均との少なくとも一方を、条件（週平均および月平均の少なくとも一方の対応する条件）に関連付けてメモリに格納し、当該条件に関連付けされた平均データのみを選択的に読出し表示できる。
【００２５】
この発明の他の局面に従うデータ処理装置は、血圧測定に伴い算出された血圧のデータと、当該血圧データに関する条件を示す条件データとを関連付けて予め準備されたメモリに格納する格納手段と、複数種類の条件のそれぞれを指定するために操作される操作部と、操作部が操作されたとき、当該操作により指定された条件を示す条件データに関連付けされた血圧データをメモリから読出して、予め準備された表示部に表示する読出表示手段と、を備える。
【００２６】
この発明のさらに他の局面に従うデータ処理方法は、血圧測定に伴い算出された血圧のデータと、当該血圧データに関する条件を示す条件データとを関連付けて予め準備されたメモリに格納する格納ステップと、複数種類の前記条件のそれぞれを指定するための操作を入力するステップと、入力ステップにより操作が入力されたとき、当該操作により指定された前記条件を示す条件データに関連付けされた血圧データをメモリから読出して、予め準備された表示部に表示する読出表示ステップと、を備える。
【００２７】
この発明のさらに他の局面に従う、データ処理装置は、血圧測定に伴い算出された血圧のデータと、当該血圧データに関する条件を示す条件データとが関連付けて格納されたメモリと、複数種類の条件のそれぞれを指定するために操作される操作部と、操作部が操作されたとき、当該操作により指定された条件を示す条件データに関連付けされた血圧データをメモリから読出して、予め準備された表示部に表示する読出表示手段と、を備える。
【００２８】
好ましくは、メモリは着脱自在である。または、データ処理装置はさらに通信部を備えて、通信部により通信路を介して受信した血圧のデータと条件データとを関連付けてメモリに格納する。
【００２９】
したがって、電子血圧計で測定された血圧データとその条件データとを外部のデータ処理装置のメモリに、記録媒体または通信により与えて、当該データ処理装置において、これらデータをメモリから読出して表示することができる。したがって、被測定者は外部の（電子血圧計以外の）データ処理装置で血圧測定結果を確認できる。
【発明の効果】
【００３０】
本発明によれば、操作部を操作することで、条件指定の操作と読出表示指示の操作を個別にしなくとも、表示部に表示すべき血圧データに関連付けされた条件の指定と、当該条件に合致する血圧データのメモリからの読出し表示の指示とを行なうことができる。
【００３１】
また、被測定者は、読出し表示したい条件の血圧データのメモリからの読出し・表示の操作を直感的におこなうことができる。
【発明を実施するための最良の形態】
【００３２】
以下、この発明の各実施の形態について図面を参照して詳細に説明する。以下の説明では、同一の部品および構成要素には同一の符号を付してある。それらの名称および機能も同じである。したがって、それらについての詳細な説明は繰返さない。
【００３３】
（構成）
各実施の形態に係る電子血圧計の機能構成が図１に示されて、概観が図２に示される。
【００３４】
図２を参照して電子血圧計１は、被測定者の血圧測定部位に装着されて空気圧により加圧するためのカフ５と、血圧計本体２とカフ５とを接続するエア管３とを備える。
【００３５】
血圧計本体２は被測定者が表示内容を確認可能なように設けられた表示部４、被測定者が外部から操作可能なように設けられた測定／停止スイッチ（図中では、スイッチはＳＷともいう）４１、時計設定スイッチ４２、時計変更スイッチ４３、記憶呼出スイッチ４４、朝スイッチ５１および夜スイッチ５２を備える。
【００３６】
測定／停止スイッチ４１は血圧測定の開始と停止を指示するために操作される。時計設定スイッチ４２および時計変更スイッチ４３は電子血圧計１が有するタイマの時間を設定および変更するために操作される。記憶呼出スイッチ４４は、記憶した血圧測定結果をメモリから読出して表示部４に表示するという呼出のために操作される。朝スイッチ５１と夜スイッチ５２は記憶した血圧測定結果のデータをメモリから呼出す際に、呼出しの対象データを指定するために操作される。つまり、朝スイッチ５１は朝の時間帯の血圧測定の結果データを呼出すために操作されて、夜スイッチ５２は夜の時間帯の血圧測定の結果データを呼出すために操作される。記憶呼出スイッチ４４は、記憶された測定結果のデータを呼出すために操作される。
【００３７】
図１を参照して電子血圧計１はカフ５に内蔵されている空気袋２１を介して検出される被測定部位の脈圧の変化を脈波の信号として出力するための圧力センサ１４、圧力センサ１４から出力される圧力を示す電圧信号を増幅する増幅回路１５、空気袋２１の加圧（空気圧）レベルを調整するためのポンプ１６および弁１８、ポンプ１６を駆動するポンプ駆動回路１７、弁１８の開閉を調整するための弁駆動回路１９、表示部４、メモリ１２、操作部４０、計時動作して計時データを出力する計時部としてのタイマ１３、および電源部２９ならびにこれら各部を制御するＣＰＵ（Central Processing Unit）２０を含む。
【００３８】
ＣＰＵ２０は内部に、一時的にデータを格納するための図示のないメモリ、読出表示部２５、血圧・脈拍を算出する算出部２８、および血圧測定データをメモリ１２に格納する機能を有するデータ格納部３０を有し、血圧測定データの処理機能を有する。読出表示部２５は表示部４の表示を制御する。読出表示部２５、算出部２８およびデータ格納部３０の機能は、ＣＰＵ２０により所定プログラムがメモリ１２から読出されて実行されることで、実現される。算出部２８は、血圧測定データの平均を算出する平均算出部２８１を含む。なお、メモリ１２は電子血圧計１の動作を制御する各種プログラムおよびデータを記憶する部分メモリと、血圧測定データを記憶する部分メモリからなるようにして、血圧測定データを記憶する部分メモリは電子血圧計１に着脱自在に設けられても良い。また、表示部４も電子血圧計１に着脱自在に設けられても良い。したがって、血圧測定時と測定データ呼出時には、この両部分は電子血圧計１に装着して、予め準備しておく。
【００３９】
また、血圧測定に伴い算出された血圧のデータと、当該血圧データに関する条件を示す条件データとを関連付けた血圧測定データを記憶する部分メモリのみ電子血圧計１から取外して、他の電子血圧計１に装着、またはＣＰＵ２０の読出表示部２５を用いたデータ呼出機能を有するコンピュータ（表示部および操作部を有する）などのデータ処理装置に装着する。そして、他の電子血圧計１またはコンピュータのＣＰＵは、装着されたメモリから血圧測定データを、他の電子血圧計１またはコンピュータの操作部からの指示に基づき読出表示部を用いて読出し表示する。これにより、被測定者は出先においても自己の血圧測定データの呼出しをすることが可能となる。なお、他の電子血圧計１またはコンピュータへの血圧測定データの転送は記録媒体を介して行なうものに限らず、電子血圧計１とコンピュータが通信部を有して通信路（無線および有線を含む）を介して血圧測定データの送受信を行ない、コンピュータまたは他の電子血圧計１は受信データを内部の予め準備されたメモリの所定領域に格納するようにしてもよい。このように、電子血圧計１で説明される血圧測定データの呼出機能の説明は、データ処理装置でも同様に適用することができる。
【００４０】
空気袋２１と圧力センサ１４、ポンプ１６および弁１８とはエア管３を介して接続される。ここでは、電源部２９により各部に駆動用の電源が供給されるが、電源部２９は電池または商用電源などからなる。算出部２８は、増幅回路１５から入力するパルス信号に基づき血圧値、脈拍数などを算出する。
【００４１】
操作部４０は、図２に示した測定／停止スイッチ４１、タイマ１３の時計を設定する時計設定スイッチ４２と時計変更スイッチ４３、記憶呼出スイッチ４４および条件スイッチ群５０を有する。条件スイッチ群５０は各種の血圧測定条件を指示するために操作される、測定条件の種類毎に対応の複数のスイッチを有する。条件スイッチ群５０には、朝スイッチ５１および夜スイッチ５２が含まれる。
【００４２】
メモリ１２には、測定結果データを含む各種データおよび各種のプログラムが格納される。
【００４３】
上述した構成において、血圧測定に際しては、算出部２８は増幅回路１５から出力されたパルス信号（圧力信号）をデジタルデータに変換した後、当該データについて所定のアルゴリズムを適用して最高血圧（収縮期血圧）・最低血圧（拡張期血圧）を算出するとともに、脈拍数を算出する。このような算出の手順は周知の手順を適用することができるから、ここではその詳細説明は略す。
【００４４】
（実施の形態１）
電子血圧計１を用いた血圧測定動作について図３のフローチャートを参照し説明する。図３のフローチャートも含めて後述の各フローチャートは、予めプログラムとしてメモリ１２に格納されて、ＣＰＵ２０により読出されて実行される。
【００４５】
図３を参照して、まず、被測定者はカフ５を測定部位（上腕、手首、指など）に巻き付けて、電子血圧計１の測定／停止スイッチ４１を操作すると、操作信号はＣＰＵ２０に与えられるので、ＣＰＵ２０は操作信号に基づき電源部２９による各部への電源供給を開始する（ステップＳＴ（以下、単にＳＴと略す）１）。次に、ＣＰＵ２０は、電子血圧計１の初期化処理として、各部を制御して空気袋２１内の空気を排気し、圧力センサ１４の０ｍｍＨｇ補正を行なう（ＳＴ２）。
【００４６】
次に、ＣＰＵ２０は各部を制御して、被測定者の最高血圧＋４０ｍｍＨｇ程度まで空気袋２１内の圧力を加圧した後（ＳＴ５）、徐々に空気袋２１内の圧力を減圧していく（ＳＴ６）。この減圧過程において空気袋２１内の圧力を圧力センサ１４で検出して、ＣＰＵ２０の算出部２８は、検出された圧力に基づき血圧（最高血圧および最低血圧）値ならびに脈拍数を算出してＣＰＵ２０の内部メモリに一時的に格納するとともに（ＳＴ７）、読出表示部２５は算出された血圧値および脈拍数を表示部４に表示する（ＳＴ８）。血圧測定のための加圧・減圧の処理は従来の電子血圧計のそれと同様である。なお、ここでは血圧測定は減圧過程でするとしているが加圧過程で行なうようにしてよい。
【００４７】
ＣＰＵ２０のデータ格納部３０は、血圧と脈拍の算出・表示が終了すると、メモリ１２に、内部メモリに一時格納されている測定結果（最高血圧、最低血圧、脈拍数のデータ）を読出し、タイマ１３が計時する時刻データを測定時刻データとして、読出した測定結果データとともにメモリ１２に格納する（ＳＴ９）。これにより、一連の血圧測定は終了する。
【００４８】
本実施の形態では、図３のＳＴ９における血圧測定結果データは図６のようにメモリ１２に格納される。
【００４９】
図６では、メモリ１２には、測定結果はレコードＲｉ（ｉ＝１,２,…,ｍ）単位で格納される。レコードＲｉは、測定時刻データＴｉ、最高血圧を示す最高血圧データＳＢＰｉ、最低血圧を示す最低血圧データＤＢＰｉおよび脈拍数を示す脈拍数データＰＬＳｉを含む。これらデータは、測定がされる毎に当該測定による測定値の対応が特定できるように関連付けされてメモリ１２に格納されればよく、レコードＲｉを用いた格納形式に限定されるものではない。
【００５０】
なお、測定時刻データＴｉは、タイマ１３により計時された血圧測定がされた時刻（測定開始または終了の時刻）のデータをＣＰＵ２０が入力して測定時刻データＴｉ（年・月・日・時・分）に変換してレコードＲｉに格納する。したがって、測定時刻データＴｉは対応の最高血圧データＳＢＰｉ、最低血圧データＤＢＰｉに関する測定の条件を指す。図６ではレコードＲｉは測定時間の時系列に最新データ（最も最近に測定したデータ）→過去データ（最も過去に測定したデータ）までが順に格納される。
【００５１】
以下に、メモリ１２からのレコードＲｉの呼出手順について説明するが、ここでは、メモリ１２にはあらゆる時間帯にわたって十分な数のレコードＲｉが格納されていると想定する。
【００５２】
メモリ１２の血圧測定データを最新→過去の順に呼出す手順が図４に示される。
まず、被測定者は記憶呼出スイッチ４４を操作するので（ＳＴ１１）、ＣＰＵ２０の読出表示部２５は、メモリ１２から最新に記憶されたレコードＲｉ（たとえばメモリ１２のレコードＲｉを登録する領域に先頭アドレスに登録されたレコードＲｉ）を読出し（ＳＴ１３）、読出したレコードＲｉの内容に基づき表示部４に測定結果を表示する（ＳＴ１４）。その後、被測定者により、記憶呼出スイッチ４４が操作されないと（ＳＴ１５でＮＯ）処理は終了するが、操作されると（ＳＴ１５でＹＥＳ）、読出表示部２５は、メモリ１２のレコードＲｉのうち、最新に格納されたレコードＲｉを検索して読出し（ＳＴ１７）、読出したレコードＲｉの内容に基づきデータを表示部４に表示する（ＳＴ１４）。その後、ＳＴ１５の処理に移行して、記憶呼出スイッチ４４が操作される毎に、ＳＴ１７、ＳＴ１４、ＳＴ１５からなるループ処理が繰返し実行されて、図６のメモリ１２から最新→過去の順に、すなわちメモリ１２のレコードＲｉの先頭から順番にレコードＲｉが読出されて、その内容が表示される。ここでは、最新→過去はレコードＲｉの登録（記憶）順番すなわち測定順番に従うことで特定しているが、時刻データＴｉを参照して順番付けをして最新→過去の順を特定してもよい。
【００５３】
次に、メモリ１２の朝の血圧測定データを最新→過去の順に呼出す手順を図５を参照して説明する。
【００５４】
まず、被測定者は朝スイッチ５１を操作するので（ＳＴ１８）、ＣＰＵ２０の読出表示部２５は、メモリ１２から最新に記憶されたレコードＲｉを読出し（ＳＴ１９）、読出したレコードＲｉの時刻データＴｉが午前４：００〜午前１０：００の時刻を指すか否か判定し（ＳＴ２０）、否と判定される間は（ＳＴ２０でＮＯ）、次に新しいレコードＲｉが読出されて（ＳＴ２３）、ＳＴ２０の判定が繰返される。なお、判定のための午前４：００〜午前１０：００の時刻を指すデータは、予めメモリ１２などに格納されているか、プログラム内部のロジックに組込まれている、または被測定者が入力すると想定する。
【００５５】
一方、レコードＲｉの時刻データＴｉが午前４：００〜午前１０：００の時刻を指すと判定されると（ＳＴ２０でＹＥＳ）、ＳＴ２１の処理に移行して、当該レコードＲｉの内容に基づき表示部４に測定結果を表示する（ＳＴ２１）。その後、被測定者により、朝スイッチ５１が操作されないと（ＳＴ２２でＮＯ）処理は終了するが、操作されると（ＳＴ２２でＹＥＳ）、記憶データを更新し（ＳＴ２３）、ＳＴ２０以降の処理を同様に繰返す。
【００５６】
朝スイッチ５１が操作される毎に、ＳＴ２０〜ＳＴ２３のループ処理が繰返し実行されて、最新→過去の順に、朝の血圧測定という指定された条件下での測定結果データを格納したレコードＲｉが読出されて、その内容が表示される。
【００５７】
図７には、ＳＴ２１におけるレコードＲｉの表示例が示される、図７では、表示部４には、最高血圧データＳＢＰｉに基づく最高血圧データ６１、最低血圧データＤＢＰｉに基づく最低血圧データ６２、および脈拍数データＰＬＳｉに基づく脈拍数データ６３、および測定時刻データＴｉに基づく時間データ６４が表示される。また、表示されている測定結果データが、朝時間帯の測定であるとの条件を指示するためのマーク６５が表示される。時間データ６４に関しては、月日と時分が同一セグメントに交互に表示される。
【００５８】
図４の手順の表示は、マーク６５の表示はなく、またデータ６１〜６４は、最新→過去の順に読出されたレコードＲｉの測定結果データを指す点を除いては、図７と同様の表示となる。
【００５９】
図５の手順に従う表示例は図７に限定されず、図８のようであってもよい。図８では、図７のマーク６５に代替して、朝用と夜用のＬＥＤ（Light Emitting Diode）６５Ａと６５Ｂを設けている。読出表示部２５は表示されている血圧測定データの測定条件（朝／夜の別）に併せてＬＥＤ６５Ａと６５Ｂの一方を点灯させるようにしてもよい。図８では、測定条件が朝測定であることを示すように、ＬＥＤ６５Ａは点灯してＬＥＤ６５Ｂは消灯している。
【００６０】
図５の手順では、ＳＴ１８とＳＴ２２で朝スイッチ５１を操作する毎に、朝の測定という条件に合致した測定結果データを順に呼出していたが、朝スイッチ５１に代替して夜スイッチ５２が操作される毎に、夜の測定という条件に合致した測定結果データを順に呼出すようにしてもよい。この場合、ＳＴ２０の判定は１６：００〜４：００の時間帯を示すデータが参照される。また、表示は、図９と図１０のようになる。図９の表示では、図７の表示のマーク６５を条件が夜測定であることを示すように変更されており、図１０の表示では、条件が夜測定であることを示すように、ＬＥＤ６５Ａは消灯してＬＥＤ６５Ｂが点灯している。
【００６１】
（実施の形態２）
本実施の形態では、呼出された測定血圧データを所定基準血圧データと比較して、その比較結果を報知する。
【００６２】
図１１には実施の形態による測定データ呼出の手順が示される。図１１の手順は、図５の手順に上述の比較処理（ＳＴ２１ａ、２１ｂ）と比較結果報知処理（ＳＴ２１ｃ）と表示クリア処理（ＳＴ２２ａ）を追加したものであるから、ここでは、追加された処理について詳述する。
【００６３】
ＳＴ１８〜ＳＴ２０の処理が前述と同様に実行されて、ＳＴ２１では読出されたレコードＲｉの内容に基づき測定結果のデータが表示部４に表示される。そして、読出表示部２５の比較報知部２５１は、表示している最高血圧データ６１（最高血圧データＳＢＰｉ）と最低血圧データ６２（最低血圧データＤＢＰｉ）が示す血圧値と、所定の基準値（最高血圧のための規準値１３５ｍｍＨｇ、最低血圧のための規準値８５ｍｍＨｇ）とを比較して（ＳＴ２１ａ、ＳＴ２１ｂ）、その比較結果に基づき報知マークを図１２のように表示する（ＳＴ２１ｃ）。図１２には、図７の表示データに追加して報知マーク７０が表示されている。なお、基準値（最高血圧のための基準値１３５ｍｍＨｇ、最低血圧のための基準値８５ｍｍＨｇ）は、たとえば、米国の血圧合同委員会の基準や日本高血圧学会の家庭血圧の高血圧規準によるものであり、予めＣＰＵ２０の内部メモリ（図示せず）に格納されるか、図１１のフローチャートのロジック内部に組込まれている。
【００６４】
比較報知部２５１は、（最高血圧≧１３５ｍｍＨｇ）または（最低血圧≧８５ｍｍＨｇ）の比較関係が成立することを判別すると（ＳＴ２１ａでＹＥＳ、またはＳＴ２１ｂでＹＥＳ）、報知マーク７０を表示する。
【００６５】
報知マーク表示（ＳＴ２１ｃ）の後、または（最高血圧≧１３５ｍｍＨｇ）および（最低血圧≧８５ｍｍＨｇ）の比較関係が成立しないと判別されると（ＳＴ２１ａでＮＯ、かつＳＴ２１ｂでＮＯ）、ＳＴ２２において朝スイッチ５１が操作されたか否かが判別されて、操作されたと判別された場合には（ＳＴ２２でＹＥＳ）、読出表示部２５は表示部４の表示消去、ＬＥＤ６５Ａと６５Ｂの消灯などをして（ＳＴ２２ａ）、ＳＴ２３の処理に移行する。
【００６６】
なお、報知マーク７０は上述の比較関係が成立するときに表示（点灯）するようにしたが、点滅表示させてもよい。報知マーク７０を設けずにマーク６５を報知マークとして兼用するようにしてもよい。つまり、上述の比較関係が成立するときはマーク６５を点滅表示するようにしてもよい。また、ＬＥＤの点灯や、電子血圧計１が振動することや音声で報知するようにしてもよい。
【００６７】
（実施の形態３）
本実施の実施の形態では図１３のフローチャートに示すように、血圧測定時に測定される血圧に関する条件の指定操作がされることにより、メモリ１２の条件が関連付けされて測定結果データ（レコードＲｉ）が格納される。そして呼出時には、図１４のフローチャートに示すように条件の指定操作がされて、指定された条件に対応の領域から、測定結果データの呼出がされる。
【００６８】
ここでは、条件としては、たとえば起床後、就寝前、飲食前、飲食後、運動前、運動後など、生活習慣に基づく測定の所定時間帯を指すが、これに限定されない。たとえば、投薬前、投薬後の所定時間帯などを指してもよい。所定時間帯の幅は、たとえば、早朝高血圧の判断に関しては、起床後２時間（就寝前２時間）など、予め決められていると想定する。
【００６９】
図１６に示されるように、本実施の形態では、条件スイッチ群５０には、起床後、就寝前、飲食前、飲食後、運動前、運動後という測定の条件のそれぞれに対応して、条件のスイッチ５３〜５８がそれぞれ設けられる。被測定者は、血圧測定時と測定結果データ呼出時には、条件スイッチ群５０中の所望する条件のスイッチを操作することで、血圧測定結果データ格納時に対応付けする条件を指定でき、また血圧測定結果データ呼出時に、呼出すべきデータに対応付けされた条件を指定できる。
【００７０】
図１５（Ａ）と（Ｂ）には本実施の形態に係るメモリ１２の内容例が示される。条件を関連付けした格納の具体例として、図１５（Ａ）に示すように、測定結果データＲｉを、血圧測定において指定された条件に基づいてグループ化して、メモリ１２のグループ毎に予め設けられた領域２６、２７・・・、３１それぞれに格納する方法が挙げられる。領域２６、２７・・・、３１それぞれには、測定結果はレコードＲｉ単位で格納される。レコードＲｉは、測定時刻データＴｉ、最高血圧を示す最高血圧データＳＢＰｉ、最低血圧を示す最低血圧データＤＢＰｉおよび脈拍数を示す脈拍数データＰＬＳｉを含む。これらデータは、測定がされる毎に当該測定による測定値が関連付けされて各領域に格納されればよく、レコードＲｉを用いた格納形式に限定されるものではない。
【００７１】
図１５（Ａ）の各領域においても、レコードＲｉは図６と同様に測定順が最新→過去の順番に従い格納される。
【００７２】
以降の説明においては、図１５（Ａ）に示すように、測定条件に基づきグループ化され各々のメモリ領域に血圧値等の測定結果データが格納されているものと想定するが、言うまでもなく条件と測定結果データとの関連付けの方法はこのような方法に限定されない。例えば、図１５（Ｂ）のように、血圧値などの測定結果データと条件とを対にしてメモリ１２に格納する方法であってもよい。図１５（Ｂ）では、血圧値などの測定結果データと測定条件の情報とを対にして格納したレコードＲｉ（ｉ＝１，２，３,…,ｍ）が血圧測定が行なわれる毎にメモリ１２に格納される。レコードＲｉには、測定時刻データＴｉ、最高血圧データＳＢＰｉ、最低血圧データＤＢＰｉ、脈拍数データＰＬＳｉ、ならびに条件データＣ１〜Ｃ６のいずれかが格納される。条件データＣ１〜Ｃ６それぞれは、血圧測定において操作された条件スイッチ群５０のスイッチ５３〜５８が示す測定の条件情報、すなわち測定時間帯の区分：起床後、就寝前、飲食前、飲食後、運動前、運動後のそれぞれを示す。スイッチ５３〜５８には条件の文字がプリントされているので、簡単にスイッチと条件との対応付けができる。
【００７３】
被測定者は条件を入力するために、条件に応じたスイッチ、すなわち起床後、就寝前、飲食前、飲食後、運動前、運動後のそれぞれに対応のスイッチ５３〜５８のいずれかを操作すると、操作されたスイッチ毎に異なる操作信号が操作部４０からＣＰＵ２０に与えられる。操作信号と領域（アドレス空間）の対応付けのデータは、データ格納部３０内の図示のないテーブルなどに格納されていると想定する。したがって、データ格納部３０は、与えられる操作信号に基づき該テーブルを検索することで、メモリ１２の複数の領域２６、２７、…、３１のうちから１つの領域を特定することができる。
【００７４】
本実施の形態の血圧測定手順を図１３のフローチャートに従い説明する。
まず、ステップＳＴ１〜ＳＴ８の処理が図３と同様に実行される。ＳＴ８で表示された血圧測定結果を確認した被測定者は、条件スイッチ群５０中の所望の条件に対応のスイッチを操作するので（ＳＴ９ａ）、データ格納部３０は測定結果データと測定時刻データを格納したレコードＲｉを生成して、メモリ１２の操作されたスイッチに対応の条件の領域に、追加格納する（ＳＴ９ｂ）。これにより、測定結果データのレコードＲｉと条件とを関連付けすることができる。
【００７５】
図１３では、条件を指示するためのスイッチ操作は血圧測定終了時にされるとしたが、血圧測定開始前、たとえばＳＴ１とＳＴ２の処理の間で実行されるようにしてもよい。
【００７６】
メモリ１２の指定領域の血圧測定データを最新→過去の順に呼出す手順が図１４に示される。まず、被測定者は記憶呼出スイッチ４４を操作するので（ＳＴ１１）、ＣＰＵ２０の読出表示部２５が起動する。続いて、被測定者は呼出を所望する測定結果データの条件に対応の条件スイッチ群５０中にスイッチを操作する（ＳＴ１１ａ）。読出表示部２５は、操作されたスイッチからの操作信号に基づき、メモリ１２の領域を選択（特定）して（ＳＴ１３ａ）、選択した領域から最新に記憶されたレコードＲｉ（たとえば当該領域の先頭アドレスに登録されたレコードＲｉ）を読出し（ＳＴ１３ｂ）、読出したレコードＲｉの内容に基づき表示部４に測定結果を図１６にように表示する（ＳＴ１４）。
【００７７】
図１６では、たとえば、条件スイッチ群５０中の就寝前のスイッチ５４が操作されたので、表示部４の条件の名称の一覧７１のうちの‘就寝前’のみが他とは異なる態様（反転表示など）で表示されて、同時に表示されている血圧測定結果データに対応の測定条件が何であるかが明示される。測定条件の名称の一覧７１はＬＥＤなどに代替して、該当する測定条件のＬＥＤのみが点灯（他のＬＥＤは消灯）するようにしてもよい。
【００７８】
その後、被測定者により、条件のスイッチが操作されないと（ＳＴ１５ａでＮＯ）処理は終了するが、操作されると（ＳＴ１５でＹＥＳ）、読出表示部２５は、操作されたスイッチは直前に（ＳＴ１３ａで）操作されたスイッチと同じであるかを、ＳＴ１３ａで入力した操作信号と今回入力した操作信号を比較し、その比較結果に基づき判定する（ＳＴ１５ｂ）。
【００７９】
比較結果、両操作信号は同じと判定すると（ＳＴ１５ｂでＹＥＳ）、現在選択されている領域から次に新しい測定結果データを読出す（ＳＴ１７）。その後、ＳＴ１４の処理に移行して、以降の処理を同様に実行する。一方、比較結果、両操作信号は同じでないと判定すると（ＳＴ１５ｂでＮＯ）、操作されたスイッチからの操作信号に基づき、メモリ１２の領域を選択（特定）しなおして（ＳＴ１３ａ）、新たに選択された領域について以降の処理が同様に行なわれる。
【００８０】
このように同じ条件のスイッチが操作される毎に、ＳＴ１７、ＳＴ１４、ＳＴ１５ａ、ＳＴ１５ｂからなるループ処理が繰返し実行されて、図１５（Ａ）のメモリ１２の選択された領域から最新→過去の順番に従いレコードＲｉが読出されて、その内容が表示される。また、条件スイッチ群５０の各スイッチは、血圧測定時と測定結果呼出時の条件を指定するためと測定結果データのメモリ１２からの呼出し自体を指示するためとに兼用される
図１４では、記憶呼出スイッチ４４が操作された（ＳＴ１１）ことに応じて読出表示部２５が起動するようにしたが、記憶呼出スイッチ４４の操作を省略してもよい。つまり、図１３のように測定／停止スイッチ４１が操作されたことによる血圧測定モードにないときは、条件スイッチ群５０中のいずれかのスイッチが操作されると、読出表示部２５が起動されて、読出表示部２５は図１４のＳＴ１１ａに示す処理を開始するようにしてもよい。
【００８１】
なお、本実施の形態でも、実施の形態２と同様に、測定条件毎の血圧の基準値を設定しておき、基準値と測定値とを比較し、比較結果に基づく報知をするようにしてもよい。
【００８２】
（実施の形態４）
本実施の形態では、メモリ１２には図６のように血圧測定データが記憶された部分領域と、図１７のように条件毎の記憶領域が予め設けられた部分領域とを有すると想定する。算出部２８の平均算出部２８１は、所定タイミング（血圧測定毎、またはタイマ１３で計時される所定期間毎）で週平均スイッチ５９または月平均スイッチ６０が押されると、メモリ１２に図６のように格納されたレコードＲｉの最高血圧データＳＢＰｉ、最低血圧データＤＢＰｉおよび脈拍数データＰＬＳｉについて、週単位で平均を算出し、また、月単位で平均を算出する。算出された週単位の平均を示す最高血圧データＷＳＢＰｉ、最低血圧データＷＤＢＰｉ、脈拍数データＷＰＬＳｉと時間データＷＴｉが関連付けされたレコードＲｉが、データ格納部３０によりメモリ１２の図１７の週平均領域３２に格納される。同様に、月単位の平均を示す最高血圧データＭＳＢＰｉ、最低血圧データＭＤＢＰｉ、脈拍数データＭＰＬＳｉと時間データＭＴｉが関連付けされたレコードＲｉが、データ格納部３０によりメモリ１２の図１７の月平均領域３３に格納される。平均値はメモリ１２に予め設けられた週平均および月平均の領域３２および３３それぞれに最新データ→過去データの順番に格納される。時間データＷＴｉはその週を代表する時間、たとえば平均に用いたデータのうち最初の日を示す時間データＴｉで示すようにしてもよい。また時間データＭＴｉも同様に、平均に用いたデータのうち最初の日を示す時間データＴｉで示すようにしてよい。このように、血圧データに関する条件は週平均または月平均となる。
【００８３】
図１８のように、操作部４０には、条件スイッチ群５０に代替して条件スイッチ群５０１を設ける。条件スイッチ群５０１には、条件スイッチ群５０のスイッチに加えて週平均スイッチ５９と月平均スイッチ６０とが含まれる。また、表示部４には、条件の名称の一覧７１に代替して一覧７１１が表示される。条件の名称の一覧７１１には、条件スイッチ群５０１の各スイッチの条件の名称が一覧表示される。
【００８４】
動作において、週平均スイッチ５９が操作される毎に、読出表示部２５は、領域３２から週平均データのレコードＲｉを、測定されて平均化された順番（記憶された順番）に従い呼出すので、表示においては週平均データ（平均最高血圧データ、平均最低血圧データ、平均脈拍数データ）は最新データ→過去データの順番に時系列に表示される。同様に、月平均スイッチ６０が操作される毎に、読出表示部２５は、領域３３から月平均データのレコードＲｉを、測定されて平均化された順番（記憶された順番）に従い呼出すので、表示においては月平均データ（平均最高血圧データ、平均最低血圧データ、平均脈拍数データ）は最新データ→過去データの順番に時系列に表示される。週平均領域３２と月平均領域３３からのレコードＲｉを呼出すとき、条件の名称の一覧７１１では、対応する条件の名称が他の名称とは異なる態様で表示されるので、表示されている血圧データが週平均か月平均かを確認できる。
【００８５】
各実施の形態によれば、記憶呼出しのための測定条件毎に対応のスイッチを、たとえば朝スイッチ５１、夜スイッチ５２、条件スイッチ群５０の各スイッチを設けることにより、所望する測定条件に対応のスイッチを操作するだけで、測定条件設定のための特別操作をすることなく、所望の測定条件を満たした測定結果データのみを呼出すことができる。
【００８６】
また、被測定者は、呼出を所望する測定条件に対応の測定結果データの呼出し操作を直感的に理解することができる。
【００８７】
また、測定結果データの呼出は、測定された順番（記憶された順番）に従いなされるから、表示においては血圧測定結果データを最新データ→過去データの順番に時系列に表示される。したがって、被測定者は表示において測定された血圧データのトレンドを確認することができる。
【００８８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８９】
【図１】各実施の形態に係る電子血圧計の機能構成図である。
【図２】各実施の形態に係る電子血圧計の概観図である。
【図３】実施の形態１に係る血圧測定のフローチャートである。
【図４】実施の形態１に係る呼出手順の１例を示すフローチャートである。
【図５】実施の形態１に係る呼出手順の他の例を示すフローチャートである。
【図６】実施の形態１に係るデータ格納例を示す図である。
【図７】実施の形態１に係るデータ表示の１例を示す図である。
【図８】実施の形態１に係るデータ表示の他の例を示す図である。
【図９】実施の形態１に係るデータ表示のさらなる他の例を示す図である。
【図１０】実施の形態１に係るデータ表示のさらなる他の例を示す図である。
【図１１】実施の形態２に係る呼出手順の１例を示すフローチャートである。
【図１２】実施の形態２に係るデータ表示の１例を示す図である。
【図１３】実施の形態３に係る血圧測定のフローチャートである。
【図１４】実施の形態３に係る呼出手順の１例を示すフローチャートである。
【図１５】（Ａ）と（Ｂ）は、実施の形態３に係るデータ格納例を示す図である。
【図１６】実施の形態３に係るデータ表示例と条件スイッチ群を示す図である。
【図１７】実施の形態４に係るデータ格納例を示す図である。
【図１８】実施の形態３に係るデータ表示例と条件スイッチ群を示す図である。
【符号の説明】
【００９０】
１  電子血圧計、１２  メモリ、２５  読出表示部、２８  算出部、３０  データ格納部、２５１  比較報知部、２８１  平均算出部、４０  操作部、５０  条件スイッチ群、５１  朝スイッチ、５２  夜スイッチ。
【図１】
2007044437.tif 000003
【図２】
2007044437.tif 000004
【図３】
2007044437.tif 000005
【図４】
2007044437.tif 000006
【図５】
2007044437.tif 000007
【図６】
2007044437.tif 000008
【図７】
2007044437.tif 000009
【図８】
2007044437.tif 000010
【図９】
2007044437.tif 000011
【図１０】
2007044437.tif 000012
【図１１】
2007044437.tif 000013
【図１２】
2007044437.tif 000014
【図１３】
2007044437.tif 000015
【図１４】
2007044437.tif 000016
【図１５】
2007044437.tif 000017
【図１６】
2007044437.tif 000018
【図１７】
2007044437.tif 000019
【図１８】
2007044437.tif 000020